(57)【要約】【課題】筆記終了後に軸筒を掌で握りなおす必要がなく、容易にペン体部を軸筒内に没入することが可能な筆記具のレフィール没入機構を提供する。【解決手段】軸筒１０内に容されたレフィール２０と、レフィールの尾端側に接続された回転子３０と、軸筒の尾端開口から突出し、ノック操作により回転力を付与した状態で回転子を前進させるノック棒５０と、軸筒の窓孔に揺動可能に取り付けられ、内面に係合子４１が形成された解除部材４０とで構成し、ペン体部２１が軸筒の先端開口から突出して筆記可能な状態において、揺動部材を揺動させると、揺動部材の係合子が回転子の係止部から離脱してペン体部が軸筒内に没入するようにする。【選択図】  図２
2004154965.tif 000002
【特許請求の範囲】
【請求項１】
軸筒内に尾端方向に弾発された状態で収容されたレフィールと、レフィールの尾端側に接続され、尾端カム歯と前方カム歯および縦溝を有する回転子と、軸筒の尾端開口から突出し、ノック操作により回転力を付与した状態で回転子を前進させるノック棒と、軸筒の窓孔に揺動可能に取り付けられ、内面に係合子が形成された解除部材とからなり、
ノック操作により、回転子が前進して解除部材の係合子が回転子の縦溝から抜け出すと該係合子が回転子の係止部に係合するとともに、レフィール先端のペン体部が軸筒の先端開口から突出して筆記可能になり、
筆記可能の状態において、揺動部材を揺動させると、該係合子が回転子の係止部から離脱して該ペン体部が軸筒内に没入することを特徴とする筆記具のレフィール出没機構。
【発明の詳細な説明】
【０００１】
【発明の属する技術分野】
本発明は、回転子を使用する筆記具のレフィール出没機構に関する。
【０００２】
【従来の技術】
ノック式筆記具、例えばノック式ボールペンのボールペンレフィール出没機構は回転子を使用するダブルノック式出没機構が多用されている。この出没機構を説明すると、スプリングにより尾端側に弾発されたレフィールの後端が回転子に当接しており、軸筒の尾端から突出したノック棒を押圧するノック操作を行うと、ノック棒前端のカム歯が回転子に形成された尾端カム歯に歯合して回転子に回転力を付与するとともに、回転子をカム筒の縦溝に沿って前進させる。回転子がカム筒を抜け出すと、レフィール先端のペン体部が軸筒の先端開口から突出し、回転子はフリー状態になるので回転方向に僅かに回転する。このとき、カム筒の突部先端が回転子の前方カム歯の傾斜面に沿って相対的に摺動し、回転子は僅かに後退するが、カム筒の突部先端が回転子の前方カム歯に形成された係止部に係止すると筆記可能になる。
【０００３】
【発明が解決しようとする課題】
かかるノック式筆記具において、ノック操作は、軸筒を掌で握り、親指で軸筒の尾端開口から突出したノック棒を押圧するが、筆記終了後にペン体部を軸筒内に没入させるには、３本の指先で軸筒を保持する筆記時の状態から軸筒を掌で握りなおしてから、親指でノック棒を押圧する必要がある。
【０００４】
そこで本発明は、筆記終了後に軸筒を掌で握りなおす必要がなく、容易にペン体部を軸筒内に没入することが可能な筆記具のレフィール没入機構を提供することを目的とする。
【０００５】
【課題を解決するための手段】
かかる目的を達成するために、本発明の筆記具のレフィール出没機構は、軸筒内に尾端方向に弾発された状態で収容されたレフィールと、レフィールの尾端側に接続され、尾端カム歯と前方カム歯および縦溝を有する回転子と、軸筒の尾端開口から突出し、ノック操作により回転力を付与した状態で回転子を前進させるノック棒と、軸筒の窓孔に揺動可能に取り付けられ、内面に係合子が形成された解除部材とで構成し、ノック操作により、回転子が前進して解除部材の係合子が回転子の縦溝から抜け出すと係合子が回転子の係止部に係合するとともに、レフィール先端のペン体部が軸筒の先端開口から突出して筆記可能になり、筆記可能の状態において、揺動部材を揺動させると、揺動部材の係合子が回転子の係止部から離脱してペン体部が軸筒内に没入するようにする。
【０００６】
【発明の実施の形態】
以下に、図面に基づいて本発明の実施の形態を具体的に説明する。図１はボールペンに本発明を適用した実施例の正面図、図２は断面図を示すが、図１および図２において、軸筒１０は、合成樹脂で成形された後軸１１および前軸１２からなり、前軸１２は先端開口１５を有する。また、前軸１２の外周には軟質の合成樹脂からなるグリップ１４が配置されている。後軸１１の尾端部には、クリップ１６の円筒固定部１７が固定されている。つまり、円筒固定部１７は軸筒１０の一部を構成している。
【０００７】
軸筒１０の尾端側周壁に窓孔１３が形成されており、この窓孔１３に揺動部材４０が揺動可能に嵌め込まれている。つまり、揺動部材４０は、図３に示すように、表面の先端側に押圧部４３が形成されるとともに、裏面の尾端側には係合子４１が形成されている。係合子４１の先端縁は傾斜状態である。そして、揺動部材４０の側面中央には一対のピン４２が突設されており、このピン４２が軸筒１０の窓孔１３に形成されたピン孔（図示略せず）に嵌め込まれて揺動可能になっている。
【０００８】
かかる軸筒１０内に、ボールペンレフィール２０がコイルスプリング２６で尾端側に弾発された状態で収容されている。ボールペンレフィール２０のインキ収容管２１の先端開口にボールペンチップであるペン体部２２が嵌着されている。インキ収容管２１内には油性インキが充填された油性ボールペンであるが、静的には高い粘性を有し、筆記時のボールの回転により粘性が低下する所謂ゲルインキが充填された水性ボールペンであってもよい。ペン体部２２はステンレスにて砲弾型に成形されたものであり、ペン体部２２先端のボールハウス内に、例えば外径が０．５ｍｍであり、超硬合金からなるボール２３が回転自由に抱持されている。
【０００９】
インキ収容管２１の尾端部は回転子３０内に差し込まれており、コイルスプリング２６の弾発力によりインキ収容管２１は回転子３０に当接している。回転子３０は、図４に示すように、合成樹脂で円筒状に成形されたものであり、尾端縁に鋸刃状をした尾端カム歯３１が形成され、中腹部には傾斜面が鋸刃状に連続した前方カム歯３２が形成されている。つまり、前方カム歯３２は複数の傾斜面からなり、傾斜面の端部が係止部３３である。また、前方カム歯３２の傾斜面は不連続であり、前方カム歯３２の傾斜面と傾斜面の間に複数本の縦溝３４が形成されている。
【００１０】
ノック棒５０は軸筒１０の尾端から突出した状態で配置されており、外周面に形成された突起５２により、ノック棒５０は軸筒１０から抜け落ちないようになっている。ノック棒５０の先端には鋸刃状をしたカム歯５１が形成されており、ノック操作を行うと、カム歯５１が回転子３０の尾端カム３１と歯合して回転子３０に回転力を付与するようになっている。
【００１１】
しかして、ペン体部２２が軸筒１０内に没入しているときは、図５（Ａ）に示すように、揺動部材４０の係合子４１は回転子３０の縦溝に３４に嵌め込まれている。そして、ノック棒５０を指先で押圧するノック操作を行うと、前述のとおり、カム歯５１が回転子３０の尾端カム３１と歯合して回転子３０に回転力を付与するとともに回転子３０を前進させるが、係合子４１が縦溝３４に嵌め込まれているので回転子３０は回転しない。そして、図５（Ｂ）に示すように、係合子４１が縦溝３４から抜け出すと、ペン体部２２が軸筒１０の先端開口１５から突出するとともに、回転子３０はフリーになるので回転力方向に僅かに回転し、図５（Ｃ）に示すように、係合子４１は前方カム歯３２の傾斜面に沿って摺動して係止部３３に係合し、筆記可能になる。
【００１２】
次に筆記が終了してペン体部２２を軸筒１０内に没入させるときは、軸筒１０を握りなおすことなく、図６（Ｄ）の矢印で示すように、親指の関節部にて揺動部材４０の押圧部４３を押圧する。これにより揺動部材４０が揺動し、係合子４１が跳ね上がって係合子４１と回転子３０の係合部３３との係合が解除される。フリーになった回転子３０は僅かに回転して、図６（Ｅ）に示すように、係合子４１は隣接する縦溝３４に嵌り込み、回転子３０が後退してペン体部２２が軸筒１０内に没入し、図５（Ａ）に示す状態に戻る。
【００１３】
【発明の効果】
以上説明したように、本発明の筆記具のレフィール出没機構は、軸筒内に尾端方向に弾発された状態で収容されたレフィールと、レフィールの尾端側に接続され、尾端カム歯と前方カム歯および縦溝を有する回転子と、軸筒の尾端開口から突出し、ノック操作により回転力を付与した状態で回転子を前進させるノック棒と、軸筒の窓孔に揺動可能に取り付けられ、内面に係合子が形成された解除部材とで構成し、ノック操作により、回転子が前進して解除部材の係合子が回転子の縦溝から抜け出すと係合子が回転子の係止部に係合するとともに、レフィール先端のペン体部が軸筒の先端開口から突出して筆記可能になり、筆記可能の状態において、揺動部材を揺動させると、揺動部材の係合子が回転子の係止部から離脱してペン体部が軸筒内に没入するようにしたので、筆記終了後に軸筒を掌で握りなおす必要がなく、容易にペン体部を軸筒内に没入することが可能な筆記具とすることができる。
【図面の簡単な説明】
【図１】本発明実施例の正面図である。
【図２】本発明実施例の断面図である。
【図３】（Ａ）は揺動部材の底面図、（Ｂ）は正面図、（Ｃ）は側面図である。
【図４】回転子の正面図である。
【図５】ペン体部突出操作の説明図である。
【図６】ペン体部没入操作の説明図である。
【符号の説明】
１０    軸筒
１１    後軸
１２    前軸
１３    窓孔
１４    グリップ
１５    先口の先端開口
１６    クリップ
１７    固定筒部
２０    ボールペンレフィール
２１    インキ収容管
２２    ペン体部
２３    ボール
３０    回転子
３１    尾端カム歯
３２    前方カム歯
３３    係止部
３４    縦溝
４０    揺動部材
４１    係合子
４２    ピン
４３    押圧部
５０    ノック棒
５１    カム歯
【図１】
2004154965.tif 000003
【図２】
2004154965.tif 000004
【図３】
2004154965.tif 000005
【図４】
2004154965.tif 000006
【図５】
2004154965.tif 000007
【図６】
2004154965.tif 000008